(57)【要約】【課題】ラック内の電子機器の収納スペースを、最小収納スペースを１単位として任意の容量に分割し、分割後の小収納スペースを自由な位置に配置することが可能な電子機器用ラックを提供する。【解決手段】電子機器用ラック本体１は、容積が所定の最小収納スペースの整数倍である電子機器を収容する電子機器用ラックである。前記最小収納スペース毎に分割された複数の収納スペースと、前記収納スペース毎に設けられた錠６付きの扉２，３と、隣接する前記収納スペース間に設置される取り外し可能な収納スペース仕切板４と、を有する。【選択図】図１
2010128532.tif 000002
【特許請求の範囲】
【請求項１】
容積が所定の最小収納スペースの整数倍である電子機器を収容する電子機器用ラックであって、
前記最小収納スペース毎に分割された複数の収納スペースと、
前記収納スペース毎に設けられた錠付きの扉と、
隣接する前記収納スペース間に設置される取り外し可能な収納スペース仕切板と、
を有することを特徴とする、電子機器用ラック。
【請求項２】
前記収納スペース仕切板は、隣接する収納スペースの両方に向けて突出した突起状の部分を備えることを特徴とする、請求項１記載の電子機器用ラック。
【請求項３】
前記突起状の部分は、前記収納スペース仕切板が隣接する収納スペースに設けられた扉が閉じている状態で前記収納スペース仕切板を取り外そうとした場合に、前記扉と物理的に干渉することを特徴とする、請求項２記載の電子機器用ラック。
【請求項４】
前記収納スペースの境界面に前記収納スペース仕切板を設置するための仕切板設置レールと、
前記仕切板設置レールに設置されて前記収納スペース仕切板の挿入ないし抜出の状態を検出するセンサースイッチと、を有することを特徴とする、請求項１から３のいずれか１項記載の電子機器用ラック。
【請求項５】
前記錠の開錠ないし施錠を行う錠制御手段と、
前記センサースイッチの検出結果を検知するセンサースイッチ制御手段と、
ラック管理者による指示に基づき前記錠制御手段を用いて錠の開錠ないし施錠を実行し、前記センサースイッチ制御手段による検知結果をラック管理者へ出力するラック管理手段と、を有することを特徴とする、請求項４記載の電子機器用ラック。
【請求項６】
前記ラック管理手段は、前記センサースイッチ制御手段による検知結果をラック管理者が操作する外部の操作端末へ出力し、錠の開錠ないし施錠の指示を前記操作端末から受信し、
前記操作端末は、出力された前記センサースイッチ制御手段による検知結果を表示し、錠の開錠ないし施錠の指示を入力するための錠状態表示扉開錠施錠指示手段を有することを特徴とする請求項５記載の電子機器用ラック。
【発明の詳細な説明】
【技術分野】
【０００１】
本発明は、電子機器用ラックに関し、特に、収納スペースを分割して利用する電子機器用ラックに関する。
【背景技術】
【０００２】
電子機器用ラックにおける電子機器の収納作業や保守作業を実施する際、ラックに付属された扉を開いて、目的の機器にアクセスすることが可能となる。このようなラックにおいては、電子機器のセキュリティ上の安全は、扉に付属のシリンダー錠等にて確保しているが、通常、ラック全体に対して、扉は１枚又は数枚の限られた数しか付属しておらず、当該扉の解放時、当該作業に無関係の電子機器に対するセキュリティ上の安全確保が施されていない。
【０００３】
つまり、過失、あるいは、故意により、無関係の電子機器に対して、撤去、あるいは、配線変更、あるいは、物理的な衝撃を加える等、同機器の運転にダメージを与える可能性があった。特に、データセンタ等で、一つのラックに所有者の異なる電子機器を混載する場合、上述のダメージが発生するリスクが高く、混載時の課題となっている。
【０００４】
上述の課題に対して、特許文献１では、ラック内に複数の密閉されたスペースを作り、各スペースにシリンダー錠付きの扉を配することで、他の密閉スペースに収納された電子機器へのアクセスを抑制することを実現している。
【０００５】
ところで、ＥＩＡ１９インチ規格等、汎用的なラックは、最小収納スペースを１単位として、保守性やスペースの効率的活用といった観点で電子機器の収納位置、あるいは収納容積を自由に設定することを可能としている。しかし、特許文献１では、収納位置等の自由度を低減させてしまう問題があった。
【特許文献１】特許第３７７７５６７号公報
【発明の開示】
【発明が解決しようとする課題】
【０００６】
上述のような電子機器用ラックは、特にデータセンター等にて一つのラックに所有者の異なる電子機器を混載するような場合においては次のような課題がある。
【０００７】
第１の課題は、錠付きの扉が１枚若しくは数枚の限られた数しか提供されていないため、収納された一部の電子機器の保守等において、無関係の電子機器に対して撤去し、あるいは、配線を変更し、あるいは、物理的な衝撃を加える等、同機器の動作に影響を与える可能性があることである。
【０００８】
上記第１の課題の一部を解決する可能性のある発明としては、特許文献１に記載の技術がある。これは、ラック内に複数の密閉されたスペースを作り、各スペースに対して、シリンダー錠付きの扉を配することで、他の密閉されたスペースに収納された電子機器への影響を抑制するという技術的思想である。しかしながら、上記技術には次のような課題がある。
【０００９】
すなわち、密閉スペースの位置や容量が固定化されているため、最小収納スペースを１単位として収納領域あるいは収納位置を自由に設定できないという課題である。保守性やスペースの効率的活用といった観点から上記技術を参照すると、ラックの収納位置は自由に設定可能であることが望ましく、ラックの収納位置の設定の自由度が低下することは問題である。
【００１０】
そこで本発明は、上記実情に鑑みて、ラック内の電子機器の収納スペースを、最小収納スペースを１単位として任意の容量に分割し、分割後の小収納スペースを自由な位置に配置することが可能な電子機器用ラックを提供することを目的とする。
【課題を解決するための手段】
【００１１】
上記目的を達成するために下記の構成の発明を提供する。
【００１２】
本発明に係る電子機器用ラックは、容積が所定の最小収納スペースの整数倍である電子機器を収容する電子機器用ラックであって、前記最小収納スペース毎に分割された複数の収納スペースと、前記収納スペース毎に設けられた錠付きの扉と、隣接する前記収納スペース間に設置される取り外し可能な収納スペース仕切板と、を有することを特徴とする。
【００１３】
上記電子機器用ラックは、前記収納スペース仕切板は、隣接する収納スペースの両方に向けて突出した突起状の部分を備えるとよい。
【００１４】
また、上記電子機器用ラックは、前記突起状の部分は、前記収納スペース仕切板が隣接する収納スペースに設けられた扉が閉じている状態で前記収納スペース仕切板を取り外そうとした場合に、前記扉と物理的に干渉するとよい。
【発明の効果】
【００１５】
本発明によれば、ラック内の電子機器の収納スペースを、最小収納スペースを１単位として任意の容量に分割し、分割後の小収納スペースを自由な位置に配置することが可能な電子機器用ラックを提供することが可能となる。
【発明を実施するための最良の形態】
【００１６】
以下、本発明の好適な実施の形態について図面を参照して説明する。
【００１７】
図１を参照すると、本発明による一実施形態としての電子機器用ラックが示されている。図１に示すように、ラック本体１は、扉がラックの最小収納スペース単位毎に設置されており、前部にフロント扉２、後部にリア扉３を備える。図１では、一部の扉が開いている状態を示している。
【００１８】
図２を参照すると、本実施形態の扉の施錠方法が示されている。図２では、本実施形態の扉の一例として、フロント扉２の一つ（以下、単に「扉２」という）を用いる。図２に示すように、扉２は錠６を備え、錠６は、ロック棒６１、ロック棒固定板６２、サーボモータ６３、リンク棒６４を含んで構成される。ラック本体１側には扉枠１１が筐体に固定されており、扉枠１１は、ロック棒６１を差し込むためのロック棒受け穴１２を有する。
【００１９】
図３を参照すると、本実施形態の収納スペースの分割イメージが示されている。図３において、ラック本体１は、分割された小収納スペースＡ，Ｂ，Ｃ，Ｄを有し、各々の小収納スペースには、リア扉３Ａ，３Ｂ，３Ｃ，３Ｄが割り当てられている。また、各々の小収納スペースは、収納スペース仕切板４によって分割されている。また、各々の小収納スペースは、それぞれの領域に電子機器７（７Ａ，７Ｂ，７Ｃ，７Ｄ）を収納している。
【００２０】
図４を参照すると、本実施形態の収納スペース仕切板４の設置イメージが示されている。図示のように、収納スペース仕切板４は、ラック本体１の筐体内部に固定された仕切板設置レール５のレールにスライドさせてラック本体１の内部に設置する。
【００２１】
図５を参照すると、本実施形態の収納スペース仕切板４の設置状態検出方法が示されている。図５において、収納スペース仕切板４は、側面から見た場合の様子が簡略化されて記載されている。また、図示のように、仕切板設置レール５には、そのレール溝にセンサースイッチ５１が付属している。
【００２２】
図６を参照すると、本実施形態の収納スペース仕切板４のロック方法が示されている。図６において、収納スペース仕切板４は、小収納スペースＡとＢを仕切る仕切板として機能しており、収納スペース仕切板４を挟んで上部が小収納スペースＡ、下部が小収納スペースＢとなっている。また、収納スペース仕切板４は、隣接した各小収納スペースの方向へ突出しているツメ４Ａ，４Ｂを有し、このツメ４Ａ，４Ｂは、収納スペース仕切板４の右方に設置されているリア扉３Ａ，３Ｂとそれぞれ干渉する。
【００２３】
図７を参照すると、本実施形態の収納スペース仕切板４がロックされている状態での収納スペース仕切板と扉の状態が、側面図として示されている。言い換えれば、図７は図６を真横から見た図といえる。図７において、リア扉３Ａは奥側でオープン状態になっており、リア扉３Ｂはクローズ状態になっている。このとき、図７中の矢印の方向へ収納スペース仕切板４を引き出そうとしても、クローズ状態のリア扉３Ｂにツメ４Ｂが干渉して引き出すことができない。
【００２４】
図８を参照すると、本実施形態の収納スペース仕切板４のロックが解除された状態が示されている。図示のように、収納スペース仕切板４を挟んで上下に位置する小収納スペースＡ，Ｂのリア扉３Ａ，３Ｂが両方ともオープン状態であれば、収納スペース仕切板４に付属するツメ４Ａ，４Ｂは、リア扉３Ａ，３Ｂと干渉することがなく、図８中の矢印の方向へ収納スペース仕切板４を引き出すことができる。
【００２５】
図９を参照すると、本実施形態の制御機器の設置及び配線のイメージが示されている。図示のように、本実施形態のラック本体１は、錠制御ボックス８を有し、錠制御ボックス８と錠６や仕切板設置レール５付属のセンサースイッチ５１は、制御線９で接続されている。また、錠制御ボックス８は、ラック本体１外部のネットワーク１０を介して操作端末１１と接続されている。操作端末１１は、本実施形態のシステムを管理する管理者のインターフェースである。
【００２６】
図１０を参照すると、本実施形態の制御機器の機能構成がブロック図で示されている。図示のように、本実施形態の錠制御ボックス８は、ラック管理部８１、ラック管理情報記憶部８２、サーボモータ制御部８３、センサースイッチ制御部８４を備え、操作端末１１は、錠状態表示扉開錠施錠指示部１１１を備える。
【００２７】
ラック管理部８１は、本実施形態に係るラック本体１全体の管理を行う機能を有し、各ラックの収納位置や利用者名、収納機器等の管理に必要な情報をラック管理情報としてラック管理情報記憶部８２に記憶させておく。サーボモータ制御部８３は、ラック管理部８１の制御を受けて、各扉付属の錠６の開錠と施錠を実行するサーボモータ６３の動作を制御する機能を有する。
【００２８】
センサースイッチ制御部８４は、仕切板設置レール５に付属のセンサースイッチ５１からの検知信号を監視し、収納スペース仕切板４の抜き差し等の検知情報をラック管理部８１に伝える。錠状態表示扉開錠施錠指示部１１１は、操作端末１１の図示しない表示部を用いて各錠６の状態を表示したり、錠制御ボックス８を用いて扉２又は３の開錠又は施錠を指示したりする機能を有する。
【００２９】
錠制御ボックス８の備える各部は、中央演算装置やメモリ等の当業者にとってよく知られたハードウェアと、これらハードウェアを利用して所定の情報処理を行うソフトウェアとの協働によって、各部が提供する機能を実現することができる。なお、操作端末１１における錠状態表示扉開錠施錠指示部１１１についても同様である。
【００３０】
図１１〜図２１を参照すると、本実施形態の錠状態表示扉開錠施錠指示部１１１の提供する機能を説明するための一例が、表示画面の遷移によって示されている。以下では、ユーザＢの収納スペースを拡張し、当該拡張スペースに装置００４を収納するまでの作業を想定した場合の、錠状態表示扉開錠施錠指示部１１１が操作端末１１の図示しない表示部に表示させる画面イメージの遷移を中心に説明するが、本例は説明のための一例であり、本発明は本例に限定されて解釈されるものではない。
【００３１】
図１１は、収納スペース仕切板４を入れ替えするため、ラック管理者が抜き出し側の扉と挿入先の扉を指定し、開錠指示を行っている状況を示している。図１１中、ラック管理情報一覧表２００は、テーブルを用いてラック管理情報を一覧にして表現している。以下、ラック管理情報一覧表２００内の各表示が示す情報について説明する。
【００３２】
収納位置２０１は、最小収納スペース単位でのラック内における位置を示し、指定２０２は、開錠又は施錠する際の対象の扉を指定するためのチェックボックスである。フロント（リア）扉２０３は、当該扉の解錠状態、施錠状態を表示された”★オープン”又は”クローズ”の値で示したもの、ユーザ名２０４は、当該収納スペースのユーザ名あるいは利用者名を示したもの、収納機器２０５は、当該収納スペースに収納された電子機器の名称を示したものである。
【００３３】
図１１中、指定２０２−１，２０２−２は、指定２０２において当該扉を指示した状態を示している。また、符号２１０−１，２１０−２を用いて示したものは、収納スペース仕切板４が隣接した最小収納スペースの境界面に設置されている状態を示している。
【００３４】
図１１中、指定扉オープンボタン３０１、指定扉クローズボタン３０２は、当該ボタンを指示することで指定２０２にて指定されている扉に対して、各々開錠又は施錠動作が実行される。全扉オープンボタン３０３、全扉クローズボタン３０４は、当該ボタンを指定することで指定２０２における扉の指定にかかわらず、各々すべての施錠されている扉の開錠又はすべての解錠されている扉の施錠動作が実行される。
【００３５】
図１２は、ラック管理者の開錠指示実行後の状況を示している。図１２中、符号２０３−１，２０３−２で示したリア扉２０３の値、”★オープン”は、ラック管理者が指定したリア扉が解錠されたことを意味している。
【００３６】
図１３は、ラック管理者が収納スペース仕切板４を抜き出したためユーザＢの収納スペースとユーザ未定の空の収納スペースとの境界に収納スペース仕切板４が挿入されていないため、警告メッセージ２０４−１が表示されている様子を示している。
【００３７】
図１４は、ラック管理者が収納スペース仕切板４をユーザＢの収納スペースを拡張するための位置に挿入した時点での様子を示している。拡張分の収納スペースのユーザ名が”空”（ユーザ未定）の状態が継続しているため、警告メッセージ２０４−１の表示も継続されている。
【００３８】
図１５は、収納スペース仕切板４の入れ替えのために、開錠した扉を全扉クローズボタン３０４を用いる指示により、すべて施錠し、さらに拡張した収納スペースのユーザ名を”ユーザＢ”に書き直している様子を示している。
【００３９】
図１６は、拡張した収納スペースのユーザ名の登録が完了し、警告メッセージの表示がなくなった様子を示している。
【００４０】
図１７は、ユーザＢのすべての収納スペースにおいて、当該扉を開錠するために対象の扉を符号２０２−３で示すように指定し、指定扉オープンボタン３０１を用いて開錠させている様子を示している。
【００４１】
図１８は、符号２０３−３で示したエリアの値が”★オープン”となっていることからわかるように、ユーザＢのすべての収納スペースに対する扉が開錠された様子を示している。
【００４２】
図１９は、ユーザＢによる装置００４の収納作業が完了したため、ラック管理者が当該収納スペースの収納機器欄２０５に対して”装置００４”２０５−２を登録している様子を示している。
【００４３】
図２０は、ユーザＢに関する作業がすべて完了したため、ラック管理者が全扉クローズボタン３０４を用いて指示することで開錠状態の扉に対して施錠指示する様子を示している。
【００４４】
図２１は、符号２０３−４で示したエリアの値が”クローズ”であることからわかるように、開錠していたすべての扉の施錠が完了した様子を示している。
【００４５】
次に、図２を用いて、施錠の動作を説明する。
【００４６】
ロック棒６１は、サーボモータ６３からリンク棒６４を介して伝達される力により、左右の移動を可能とする。ロック棒６１の移動に伴い、ロック棒６１の一部が扉枠１１にあるロック棒受け穴１２に対して挿入又は抜出することで、扉の施錠又は開錠動作の制御を可能としている。
【００４７】
次に、図３を用いて、収納スペースを４つの小収納スペースＡ，Ｂ，Ｃ，Ｄに分割した際の構成及び作用について説明する。
【００４８】
ラックの収納スペース全体を図３に示すように４つの小密閉スペースＡ，Ｂ，Ｃ，Ｄに分割する場合、扉については、最小収納スペースの単位で取り付けられた扉から各小スペースの領域に対応した１個又は複数個の扉を割り当てる。また、小収納スペース間を分離するため、小スペースＡとＢ、小スペースＢとＣ、小スペースＣとＤの境界面に、収納スペース仕切板４を挿入する。
【００４９】
以上により、ラックの収納スペースを各々密閉された小収納スペースＡ，Ｂ，Ｃ，Ｄに分割することができ、扉の施錠機能、及び、収納スペース仕切板４の抜き出し抑止機能と相俟って、各々収納された電子機器７Ａ，７Ｂ，７Ｃ，７Ｄは、他の小収納スペース内の電子機器に関する保守作業等に依存しないセキュリティを確保することが可能となる。
【００５０】
次に、図４を用いて、収納スペース仕切板４の設置方法について説明する。
【００５１】
ラック本体１は、収納スペースの分割が可能なすべての位置に収納スペース仕切板４の挿入を可能とするため、ラック内側の左右側面に対して仕切板設置レール５が取り付けられている。収納スペース仕切板４は、扉３側から、仕切板設置レール５の側面にある溝に対してスライドさせて、はめ込むことで、収納スペース仕切板４が固定される。
【００５２】
次に、図５を用いて、収納スペース仕切板４の設置を検出する方法を説明する。
【００５３】
収納スペース仕切板４を固定するため、仕切板設置レール５は、側面に溝を有している。溝の一端から、収納スペース仕切板４を挿入するが、溝の他端には当該溝内にセンサースイッチ５１を設置し、収納スペース仕切板４の挿入により、収納スペース仕切板４の圧力がセンサースイッチ５１に伝達される。つまり、このとき、センサースイッチ５１は、収納スペース仕切板４が設置されたことを認識できる。反対に、収納スペース仕切板４を抜き出した場合は、当該圧力がなくなることで、センサースイッチ５１は収納スペース仕切板４が抜き出されたことを認識できる。
【００５４】
次に、図６を用いて、収納スペース仕切板４の抜き出しを抑止するための仕組みについて説明する。
【００５５】
図６は、収納スペース仕切板４によって、上方と下方の小収納スペースに分割された状態を想定したイメージであり、扉３Ａと扉３Ｂは、各々上方と下方の小収納スペースに対応する。収納スペース仕切板４には、各々上方及び下方に突起状のツメ４Ａ，４Ｂを有しており、扉３Ａ又は扉３Ｂのいずれか一方が閉じている場合は、扉と突起が干渉することで収納スペース仕切板４抜き出しの抑止を実現している。
【００５６】
次に、図７を用いて、収納スペース仕切板４の抜き出し抑止について、側面図を用いて説明する。
【００５７】
図７は、上述した図６の状態を側面からイメージしたもので、収納スペース仕切板４の抜き出しを試みると、ツメ４Ａと扉３Ｂが干渉し、抜き出しできない様子を示している。
【００５８】
次に、図８を用いて、収納スペース仕切板の抜き出し方法について説明する。
【００５９】
図８は、図６又は図７の状態に対して、扉３Ａの他、扉３Ｂを開くことで、ツメ４Ａ、ツメ４Ｂとも扉３Ａ、扉３Ｂに干渉せず、収納スペース仕切板４の抜き出しが可能であることを示している。
【００６０】
次に、図９を用いて、扉の錠の制御及び収納スペース仕切板管理のための機器及び配線について説明する。
【００６１】
扉２及び扉３は、各々、図２で説明した施錠機能を持つ錠６を有する。錠制御ボックス８は、これらの錠６を制御線９を介して開錠、施錠の制御を行うとともに、開錠、施錠の状態を管理している。また、錠制御ボックス８は、制御線９を介して各仕切板設置レール５に付属のセンサースイッチ５１と接続しており、収納スペース仕切板４の挿入、抜出状態を管理している。操作端末１１は、ネットワーク１０を介して錠制御ボックス８と接続しており、ラック管理者は、錠制御ボックス８で管理している錠６の開錠／施錠の状態、及び、収納スペース仕切板４の挿抜状態を操作端末１１を通して確認でき、また、特定の錠６に対して開錠／施錠動作を指示することが可能である。
【００６２】
次に、図１０を用いて、図９で説明した扉の錠制御及びセンサースイッチにおける収納スペース仕切板の管理のブロック図を説明する。
【００６３】
ラック管理部８１は、当該ラックの収納スペースにおける各種状態の管理、及び、扉の開錠／施錠の制御を行う。具体的には、当該ラックのすべての収納スペースにおいて、最小収納スペース単位毎に、扉の錠の施錠状態、当該スペースのユーザ名又は利用者名、当該スペースの収納機器名等の情報を当該情報の記憶領域であるラック管理情報記憶部８２から参照し、また、変更された情報を書き込むことで管理している。
【００６４】
ラック管理部８１は、収納スペース仕切板４の設置位置に関する情報も管理している。当該情報は、センサースイッチ５１が収納スペース仕切板４の挿入、抜出を感知した際に、センサースイッチ制御部８４を経由してラック管理部８１へ伝達される。
【００６５】
錠状態表示扉開錠施錠指示部１１１は、ラック管理部８１の管理情報を操作端末１１上に表示する。ラック管理者は、操作端末１１上に表示された当該情報を参照し、また、錠状態表示扉開錠施錠指示部１１１を用いて操作端末１１上から任意の扉の錠を開錠あるいは施錠の指示を行う。当該開錠あるいは施錠の指示を受けたラック管理部８１は、サーボモータ制御部８３に当該指示を伝達する。するとサーボモータ制御部８３は、対象のサーボモータ６３に対して、開錠あるいは施錠の信号を送信し、指示された扉の開錠あるいは施錠が実行される。
【００６６】
次に、図１１から図２１を用いて、錠状態表示扉開錠施錠指示部１１１での操作端末１１上の画面イメージを説明する。当該画面イメージは、当該ラックの利用者の一人であるユーザＢに対して、当該ユーザＢに提供している収納スペースを拡張し、拡張したスペースに対して、電子機器００４を収納するまでの作業を想定したイメージである。
【００６７】
図１１のラック管理情報一覧表２００は、電子機器００４収納作業前のラックの状態で、ユーザＢの収納スペースとして収納位置２０１の値”７”から”１０”のスペースが提供されている。当該スペースは、収納機器２０５から装置００３及び装置００４の収容に使用されており、収納スペースとして３単位を必要とする装置００４を追加収納するためには、ユーザＢの収納スペースを拡張する必要がある。そこで収納位置”１１”から”１３”の空きスペースをユーザＢに提供することにして、収納スペース仕切板２１０−１の設置位置を収納位置”１０”と”１１”の間から”１３”と”１４”の間に差し替えることにする。
【００６８】
以降、収納スペース仕切板の設置位置、例えば収納位置”１０”と”１１”の間の場合、簡易的に”１０−１１”と表記すると、収納スペース仕切板２１０−１差し替えのため、まずは、収納位置”１０−１１”から、収納位置”１３−１４”に抜き出した収納スペース仕切板２１０−１を挿入するため、隣接の収納位置”１３”及び”１４”のリア扉２０３もクローズ状態からオープン状態に切り替える。
【００６９】
具体的には、指定２０２の当該収納位置、つまり、指定２０２−２、指定２０２−１を指定状態（図１１中、□→■）とし、指定扉オープンボタン３０１を押下することで、対象の扉がオープン状態となる。
図１２は、指定した扉がオープン状態に切り替わったことを示している。
【００７０】
図１３は、収納位置”１０−１１”に設置の収納スペース仕切板を抜出した状態を示している。警告メッセージ２０４−１は、隣接した他のユーザの収納スペースとの境界に収納スペース仕切板が設置されていないことを警告している。
【００７１】
図１４は、図１３にて抜き出した収納スペース仕切板２１０−１を収納位置”１３−１４”に挿入した時点の状態を示している。この時点では、収納位置”１１”から”１３”のユーザ名を”ユーザＢ”へ変更していないため、警告メッセージ２０４−１は、継続して表示されている。
【００７２】
図１５は、全扉クローズボタン３０４にて、収納スペース仕切板２１０−１の差し替え作業のために開錠したリア扉２０３をすべて施錠し、クローズ状態２０３−１及びクローズ状態２０３−２に切り替わり、続けて、収納位置”１１”から”１３”のユーザ名を（符号２０４−２にて示すように）”ユーザＢ”へ変更する様子を示している。
【００７３】
図１６は、（符号２０４−３にて示すように）収納位置”７”から”１３”までの収納スペースがユーザＢに提供されていることを示しており、この時点でユーザＢに対するユーザスペースの拡張作業が完了したことになる。
【００７４】
図１７は、ユーザＢが装置００４の収納作業を実施できるよう、ラック管理者がユーザＢに提供している収納スペースに対して、すべての扉を開錠する様子を示している。ラック管理者は、ユーザＢに提供された収納位置”７”から”１３”において、フロント扉側、リア扉側双方の指定２０２をチェックし（図１７中、□→■）、指定扉オープンボタン３０１を押下してチェックした扉をオープン状態にする。
【００７５】
既に、装置００３と装置００４を収納している収納位置”７”から”１０”までの扉についても開錠する理由は、当該装置と収納位置”１１”から”１３”に収納する装置００４との間で、相互にケーブル接続するなど収納済み装置に対する作業を考慮する必要があるためである。
【００７６】
図１８は、ユーザＢに提供されたすべての収納スペースに対するフロント扉及びリア扉が開錠された状態を示している。この状態で、ユーザＢによる装置００４の収納作業が開始できる。
【００７７】
図１９は、ユーザＢによる装置００４の収納作業が完了した時点で、ラック管理者が新たに収納された装置００４の情報を入力した様子（符号２０５−１で示したエリア）を示している。
【００７８】
図２０は、装置００４収納作業の完了により、ラック管理者は全扉クローズボタン３０４を押下する操作によって指示を行い、すべての扉を施錠する様子を示している。
【００７９】
図２１は、一連の作業が完了した時点でのラックの状態を示している。
【００８０】
以上説明したように、本実施形態においては、以下に記載するような効果を奏する。
【００８１】
第１の効果は、最小収納スペース単位に設けた複数の扉を有し、隣接した収納スペース間に仕切板の取付を可能とすることで、各小収納スペースの領域を最小収納スペース単位できめ細かく、自由に設定できることである。言い換えれば、ラック内の電子機器の収納スペースを、最小収納スペースを１単位として任意の容量に分割し、分割後の小収納スペースを自由な位置に配置することが可能になることである。
【００８２】
第２の効果は、仕切板に突起状のツメを上方及び下方、それぞれに有しており、また、仕切板が分割している上方及び下方小収納スペースにおける最も下の扉又は最も上の扉のいずれかが閉じた状態では、ツメと扉が干渉するために仕切板がラックから取り外せない構造であるために、一つの小収納スペースの扉を開いたとき、各々の扉に取り付けられた錠と相俟って、隣接の小収納スペースのセキュリティ上での密閉状態を確保できることである。
【００８３】
第３の効果は、収納スペースの分割状態、及び、各扉の開錠／施錠状態を管理する機能、及び、ラック管理者の指示により扉の錠を開錠／施錠させる機能を有することで、より簡易なラック管理作業を提供できることである。
【００８４】
以上、本発明の好適な実施の形態について説明したが、本発明はこれに限定されるものではなく、要旨を逸脱しない範囲内で種々の変形実施が可能である。
【図面の簡単な説明】
【００８５】
【図１】本発明の実施形態の電子機器用ラックの外観を模式的に示した外観斜視図である。
【図２】本発明の実施形態の扉の施錠法を示す図である。
【図３】本発明の実施形態の収納スペースの分割イメージを示す図である。
【図４】本発明の実施形態の収納スペース仕切板の設置イメージを示す図である。
【図５】本発明の実施形態の収納スペース仕切板の設置状態検出方法を示す図である。
【図６】本発明の実施形態の収納スペース仕切板のロック方法を示す図である。
【図７】本発明の実施形態の収納スペース仕切板と扉の状態を示す側面図（ロック状態）である。
【図８】本発明の実施形態の収納スペース仕切板と扉の状態を示す側面図（ロック解除状態）である。
【図９】本発明の実施形態の制御機器の設置及び配線のイメージを示す図である。
【図１０】本発明の実施形態の制御機器の機能構成を示すブロック図である。
【図１１】本発明の実施形態のラック管理情報一覧表を示す図（その１）である。
【図１２】本発明の実施形態のラック管理情報一覧表を示す図（その２）である。
【図１３】本発明の実施形態のラック管理情報一覧表を示す図（その３）である。
【図１４】本発明の実施形態のラック管理情報一覧表を示す図（その４）である。
【図１５】本発明の実施形態のラック管理情報一覧表を示す図（その５）である。
【図１６】本発明の実施形態のラック管理情報一覧表を示す図（その６）である。
【図１７】本発明の実施形態のラック管理情報一覧表を示す図（その７）である。
【図１８】本発明の実施形態のラック管理情報一覧表を示す図（その８）である。
【図１９】本発明の実施形態のラック管理情報一覧表を示す図（その９）である。
【図２０】本発明の実施形態のラック管理情報一覧表を示す図（その１０）である。
【図２１】本発明の実施形態のラック管理情報一覧表を示す図（その１１）である。
【符号の説明】
【００８６】
１    ラック本体
１１    扉枠
１２    ロック棒受け穴
２    フロント扉
３    リア扉
４    収納スペース仕切板
５    仕切板設置レール
５１    センサースイッチ
６    錠
６１    ロック棒
６２    ロック棒固定板
６３    サーボモータ
６４    リンク棒
７    電子機器
８    錠制御ボックス
８１    ラック管理部
８２    ラック管理情報記憶部
８３    サーボモータ制御部
８４    センサースイッチ制御部
９    制御線
１０    ネットワーク
１１    操作端末
１１１    錠状態表示扉開錠施錠指示部
２００    ラック管理情報一覧表
【図１】
2010128532.tif 000003
【図２】
2010128532.tif 000004
【図３】
2010128532.tif 000005
【図４】
2010128532.tif 000006
【図５】
2010128532.tif 000007
【図６】
2010128532.tif 000008
【図７】
2010128532.tif 000009
【図８】
2010128532.tif 000010
【図９】
2010128532.tif 000011
【図１０】
2010128532.tif 000012
【図１１】
2010128532.tif 000013
【図１２】
2010128532.tif 000014
【図１３】
2010128532.tif 000015
【図１４】
2010128532.tif 000016
【図１５】
2010128532.tif 000017
【図１６】
2010128532.tif 000018
【図１７】
2010128532.tif 000019
【図１８】
2010128532.tif 000020
【図１９】
2010128532.tif 000021
【図２０】
2010128532.tif 000022
【図２１】
2010128532.tif 000023